(57)【要約】【課題】可変速電動機駆動の給水ポンプを採用した場合において、給水供給システムのいずれか１台のポンプがトリップした時の給水流量低下を抑え、原子炉等の水位低下を緩和する給水流量制御装置及びこれを用いた発電プラントを提供する。【解決手段】発電プラントにおける水位制御機能を有する原子炉や蒸気発生器等の容器と、復水器からの復水を前記容器へ供給するために、上流側から下流側の流れ方向に数種類連結され段階的に前記復水を昇圧する予備機を含む複数台構成のポンプと、前記複数台構成のポンプのうち最下流に連結されたポンプの給水流量を制御する給水流量制御手段とを備えた給水流量制御装置であって、前記給水流量制御手段は、運転中の前記ポンプ１台のトリップを検知すると、検知直後に運転継続のポンプの流量を予め設定した流量まで急速に増加させる規定流量増加回路を備えた。【選択図】図２
2012163279.tif 000002
【特許請求の範囲】
【請求項１】
発電プラントにおける水位制御機能を有する原子炉や蒸気発生器等の容器と、
復水器からの復水を前記容器へ供給するために、上流側から下流側の流れ方向に数種類連結され段階的に前記復水を昇圧する予備機を含む複数台構成のポンプと、
前記複数台構成のポンプのうち最下流に連結されたポンプの給水流量を制御する給水流量制御手段とを備えた給水流量制御装置であって、
前記給水流量制御手段は、運転中の前記ポンプ１台のトリップを検知すると、検知直後に運転継続のポンプの流量を予め設定した流量まで急速に増加させる規定流量増加回路を備えた
ことを特徴とする給水流量制御装置。
【請求項２】
請求項１記載の給水流量制御装置において、
前記給水流量制御手段は、運転中の前記容器へ給水する最下流の給水ポンプ１台のトリップを検知すると、該検知直後に運転継続の給水ポンプの流量を予め設定した流量まで急速に増加させる規定流量増加回路を備えた
ことを特徴とする給水流量制御装置。
【請求項３】
請求項１記載の給水流量制御装置において、
前記容器へ給水する最下流の給水ポンプ以外の運転中の上流側のポンプ１台のトリップを検知すると、検知直後にトリップしたポンプより下流側に設置されている各ポンプを１台ずつ上流側ポンプから下流側ポンプの順で段階的にトリップさせ、その後、前記上流側ポンプから前記下流側ポンプの順で段階的にポンプ予備機を起動させるインターロック回路を有し、
前記給水流量制御手段は、前記上流側のポンプ１台のトリップ検知直後に運転継続の給水ポンプの流量を予め設定した流量まで急速に増加させる規定流量増加回路を備えた
ことを特徴とする給水流量制御装置。
【請求項４】
請求項１記載の給水流量制御装置において、
前記給水流量制御手段は、運転中の前記ポンプ１台のトリップを検知すると、
検知直後に前記容器の水位設定値を予め設定した水位まで増加させる水位設定変更回路を備えた
ことを特徴とする給水流量制御装置。
【請求項５】
請求項１乃至４のいずれか１項に記載の給水流量制御装置を、前記復水器の下流側に設けた、
ことを特徴とする発電プラント。
【発明の詳細な説明】
【技術分野】
【０００１】
本発明は、発電プラントの給水流量制御装置、及びこれを用いた発電プラントに関する。
【背景技術】
【０００２】
原子力発電プラントにおいては、原子炉により発生した蒸気で蒸気タービンを駆動し、蒸気タービンを駆動した後の蒸気を復水器で冷却して復水としている。この復水は、復水器側を上流とした場合、予備機１台を含んでそれぞれ複数のＮ＋１台で構成される復水ポンプ、及び給水ポンプ等を備えた給水供給システムによって、上流側から下流側に段階的に昇圧され原子炉に給水されている。
【０００３】
この原子炉への給水流量は、原子炉の水位を一定に保つために、給水ポンプの回転数、もしくは給水ポンプ出口の給水流量調節弁により制御されている。
【０００４】
このような給水供給システムの上流側の１台の復水ポンプがトリップした場合、上流側の復水ポンプ全体はＮ−１台運転となるが、下流側の給水ポンプ全体がＮ台運転の状態のままであると、復水ポンプ全体の吐出給水流量と給水ポンプ全体の吸込み給水流量との間に流量アンバランスが発生する。このため、Ｎ−１台運転の復水ポンプは、一定の時間だけ過渡的に認められる過流量領域（以下、ランアウト領域という）を超える運転となり、これらの復水ポンプが損傷するおそれが生じる。
【０００５】
また、Ｎ台運転の給水ポンプは、必要吸込み圧力が確保されないためキャビテーションが発生し、損傷するおそれがある。さらに、吸込み圧力低下による保護動作により給水ポンプがすべてトリップすると、原子炉給水喪失による原子炉スクラムに至ってしまう。
【０００６】
そこで、このような場合に、上流側のポンプの流量と下流側のポンプの流量をバランスさせる方策として、一般的には、下流側ポンプ運転台数が上流側ポンプ運転台数より多くならないようなインターロック回路を設けている。例えば、復水ポンプが１台トリップした場合には、給水ポンプを１台トリップさせると共に、復水ポンプ、給水ポンプの順でそれぞれの予備機を起動させる。この結果、給水流量は、一時低下するが、それぞれのポンプの予備機が起動することで、復水ポンプの１台トリップ発生前の給水流量に回復する。
【０００７】
しかしながら、上述した給水流量の低下に伴い原子炉の水位低下が生起されるため、適切な制御がなされずに原子炉の水位が、規定水位以下まで低下すると原子炉スクラムに至ってしまう。運転中の給水ポンプがトリップし、予備の給水ポンプへ切り替わるときの原子炉の水位変動を小さくする給水流量制御装置がある（例えば、特許文献１参照）。
【先行技術文献】
【特許文献】
【０００８】
【特許文献１】特開昭６１−２３７９０４号公報
【発明の概要】
【発明が解決しようとする課題】
【０００９】
上述した給水流量制御装置が適用される給水ポンプの構成は、通常運転するタービン駆動給水ポンプと、急速起動可能な定速電動機駆動給水ポンプとからなっている。予備機に急速起動可能な定速電動機駆動給水ポンプを採用し、急速に給水流量を回復させることにより、原子炉水位の規定水位以下までの低下を防止している。
【００１０】
通常運転するタービン駆動給水ポンプの回転数は、原子炉水位制御系からの要求信号に見合った給水流量になる様に、駆動タービンへ供給する蒸気量を調整することにより制御されている。特に、沸騰水型原子炉（ＢＷＲ）の場合、この駆動タービンを駆動する蒸気は、原子炉から発生した蒸気を使用するため、給水ポンプエリアの線量が高くなり、メンテナンス時に作業員が被爆するおそれがあり、作業性が悪いという問題がある。また、予備機の定速電動機駆動給水ポンプは、給水流量をポンプ出口の調節弁で制御するため、調節弁の圧力損失によりポンプの揚程が大きくなり、電動機の動力を大きくしなければならないという問題がある。
【００１１】
そこで、従来のタービン駆動給水ポンプに比べ、メンテナンス性に優れると共に、省エネルギ性に優れる可変速電動機駆動給水ポンプの採用が検討されているが、可変速電動機駆動給水ポンプは、定速電動機駆動給水ポンプ式に比べ、急速起動能力が劣るため、予備機として採用した場合に、原子炉水位の低下から原子炉スクラムを生起させ易くなるという課題がある。
【００１２】
本発明は、上述の事柄に基づいてなされたもので、その目的は、可変速電動機駆動の給水ポンプを採用した場合において、給水供給システムのいずれかのポンプトリップ時の給水流量低下を抑え、原子炉等の水位低下を緩和する給水流量制御装置、及びこれを用いた発電プラントを提供することにある。
【課題を解決するための手段】
【００１３】
上記の目的を達成するために、第１の発明は、発電プラントにおける水位制御機能を有する原子炉や蒸気発生器等の容器と、復水器からの復水を前記容器へ供給するために、上流側から下流側の流れ方向に数種類連結され段階的に前記復水を昇圧する予備機を含む複数台構成のポンプと、前記複数台構成のポンプのうち最下流に連結されたポンプの給水流量を制御する給水流量制御手段とを備えた給水流量制御装置であって、前記給水流量制御手段は、運転中の前記ポンプ１台のトリップを検知すると、検知直後に運転継続のポンプの流量を予め設定した流量まで急速に増加させる規定流量増加回路を備えたものとする。
【００１４】
また、第２の発明は、第１の発明において、前記給水流量制御手段は、運転中の前記容器へ給水する最下流の給水ポンプ１台のトリップを検知すると、該検知直後に運転継続の給水ポンプの流量を予め設定した流量まで急速に増加させる規定流量増加回路を備えたことを特徴とする。
【００１５】
更に、第３の発明は、第１の発明において、前記容器へ給水する最下流の給水ポンプ以外の運転中の上流側のポンプ１台のトリップを検知すると、検知直後にトリップしたポンプより下流側に設置されている各ポンプを１台ずつ上流側ポンプから下流側ポンプの順で段階的にトリップさせ、その後、前記上流側ポンプから前記下流側ポンプの順で段階的にポンプ予備機を起動させるインターロック回路を有し、前記給水流量制御手段は、前記上流側のポンプ１台のトリップ検知直後に運転継続の給水ポンプの流量を予め設定した流量まで急速に増加させる規定流量増加回路を備えたことを特徴とする。
【００１６】
また、第４の発明は、第１の発明において、前記給水流量制御手段は、運転中の前記ポンプ１台のトリップを検知すると、検知直後に前記容器の水位設定値を予め設定した水位まで増加させる水位設定変更回路を備えたことを特徴とする。
【００１７】
更に、第５の発明は、第１乃至第４の発明のいずれかの発明の給水流量制御装置を、前記復水器の下流側に設けたものとする。
【発明の効果】
【００１８】
本発明によれば、可変速電動機駆動の給水ポンプを予備機として設置した場合でも、給水供給システムのいずれか１台のポンプにトリップが発生した時の給水流量低下、及び原子炉等の水位低下を緩和することができる。この結果、発電プラントの信頼性が向上する。
【図面の簡単な説明】
【００１９】
【図１】本発明の給水流量制御装置及びこれを用いた発電プラントの第１の実施の形態が適用される給水系統を示すシステム系統図である。
【図２】本発明の給水流量制御装置及びこれを用いた発電プラントの第１の実施の形態を構成する給水流量制御手段を説明するブロック図である。
【図３】本発明の給水流量制御装置及びこれを用いた発電プラントの第１の実施の形態による給水流量の制御特性図である。
【図４】本発明の給水流量制御装置及びこれを用いた発電プラントの第１の実施の形態における原子炉水位低下量を説明する特性図である。
【図５】本発明の給水流量制御装置及びこれを用いた発電プラントの第２の実施の形態が適用される給水系統を示すシステム系統図である。
【図６】本発明の給水流量制御装置及びこれを用いた発電プラントの第３の実施の形態が適用される給水系統を示すシステム系統図である。
【図７】本発明の給水流量制御装置及びこれを用いた発電プラントの第４の実施の形態が適用される給水系統を示すシステム系統図である。
【図８】本発明の給水流量制御装置及びこれを用いた発電プラントの第４の実施の形態を構成する復水流量制御手段を説明するブロック図である。
【図９】本発明の給水流量制御装置及びこれを用いた発電プラントの第５の実施の形態が適用される給水系統を示すシステム系統図である。
【図１０】本発明の給水流量制御装置及びこれを用いた発電プラントの第６の実施の形態が適用される給水系統を示すシステム系統図である。
【図１１】本発明の給水流量制御装置及びこれを用いた発電プラントの第７の実施の形態が適用される給水系統を示すシステム系統図である。
【発明を実施するための形態】
【００２０】
以下に、本発明の給水流量制御装置及びこれを用いた発電プラントの実施の形態を図面を用いて説明する。
【実施例１】
【００２１】
図１は本発明の給水流量制御装置及びこれを用いた発電プラントの第１の実施の形態が適用される給水系統を示すシステム系統図、図２は本発明の給水流量制御装置及びこれを用いた発電プラントの第１の実施の形態を構成する給水流量制御手段を説明するブロック図、図３は本発明の給水流量制御装置及びこれを用いた発電プラントの第１の実施の形態による給水流量の制御特性図、図４は本発明の給水流量制御装置及びこれを用いた発電プラントの第１の実施の形態における原子炉水位低下量を説明する特性図である。
【００２２】
本実施の形態における給水系統構成は図１に示すように、タービンから排出された蒸気を凝縮する復水器１と、復水器１内の復水を原子炉５へ送水するために導出して昇圧する復水ポンプ２ａ〜ｄと、復水ポンプ２ａ〜ｄで昇圧された復水をさらに昇圧する復水昇圧ポンプ３ａ〜ｄと、復水昇圧ポンプ３ａ〜ｄで昇圧された復水を原子炉５へ送水するために昇圧する給水ポンプ４ａ〜ｄとを備えている。復水ポンプ２ａ〜ｄ、復水昇圧ポンプ３ａ〜ｄ、給水ポンプ４ａ〜ｄで示すａ〜ｄは各系統名称を表す。各ポンプの系統数は通常Ｎ台運転の場合は、予備機１台を設け、合計でＮ＋１台（系統）のポンプ構成となる。図１では一例として、通常３台運転、予備機１台の合計４台（系統）のそれぞれのポンプ構成を示している。
【００２３】
給水ポンプ４ａ〜ｄの吐出側には、原子炉５に一端側が接続された給水配管の他端側が接続され、この給水配管には、給水流量を検出する給水流量検出器６が設けられている。原子炉５には、原子炉水位を検出する原子炉水位検出器７が設けられている。給水流量検出器６が検出する給水流量信号と、原子炉水位検出器７が検出する原子炉水位信号とは、給水流量制御手段８へ入力されている。
【００２４】
本実施の形態における給水流量制御方法は、給水ポンプ４ａ〜ｄの回転数を制御する方法であって、給水ポンプ４ａ〜ｄを駆動する電動機に可変周波数電源装置９ａ〜ｄから所定の周波数電源を供給することにより行う。具体的には、給水流量制御手段８が、入力された給水流量信号と原子炉水位信号とに基づき、可変周波数電源装置９ａ〜ｄに回転速度指令を出力することで、駆動用電動機と給水ポンプ４ａ〜ｄの回転速度を制御して行う。
【００２５】
給水流量制御手段８は、図２に示すように、復水ポンプ２ａ〜ｄ、復水昇圧ポンプ３ａ〜ｄ及び給水ポンプ４ａ〜ｄの運転状態を判別するポンプ運転状態判定回路８Ａと、給水流量検出器６からの給水流量信号と原子炉水位検出器７からの原子炉水位信号を取り込むシステム状態監視回路８Ｂとを備え、例えば、上位制御器等から入力される水位設定信号とポンプ運転状態判定回路８Ａからの各ポンプの運転状態とシステム状態監視回路８Ｂからのシステム状態とに基づいて、給水ポンプ４ａ〜ｄへの回転速度指令を算出する通常給水流量設定回路８Ｄと、各ポンプのいずれかがトリップしたときに、存続する給水ポンプへの流量増加指令を演算し、通常給水流量設定回路８Ｄへ出力する規定流量増加回路８Ｃとを設けている。
【００２６】
図１に戻り、復水ポンプ２ａ〜ｄ、復水昇圧ポンプ３ａ〜ｄ、及び可変周波数電源装置９ａ〜ｄ駆動の給水ポンプ４ａ〜ｄの構成について説明する。これらのポンプは、通常時のプラント給水流量を１００％としたときの復水流量が１台あたり約３３％容量のポンプである。これらの各ポンプをそれぞれ４台並列接続して構成し、通常時のプラント給水流量１００％時にはそれぞれ３台運転し、１台を予備機として運用している。
【００２７】
このような給水系統構成において、給水ポンプ４ａ〜ｃ運転中に給水ポンプ４ｃがトリップした場合の挙動について図２乃至図４を用いて説明する。  
図３において、縦軸は給水流量（％）を示し、横軸は時間を示している。時刻ｔ０からｔ１において上側の１００％の給水流量は、給水ポンプ４ａ〜ｃの合計の流量を示し、下側の約３３％の給水流量は、実線部が給水ポンプ４ａ，４ｂの１台当たりの流量を、点線部が給水ポンプ４ｃの流量を示している。また、時刻ｔ１からｔ４において実線部の符号Iは、予備機給水ポンプが従来の定速電動機駆動給水ポンプの場合の給水流量特性を示し、細い破線部の符号IIは、予備機給水ポンプが可変速電動機駆動の給水ポンプの場合の給水流量特性を示し、太い破線部の符号IIIは、予備機給水ポンプが可変速電動機駆動の給水ポンプであって、本実施の形態が適用された場合の給水流量特性を示している。
【００２８】
まず、予備機給水ポンプが従来の定速電動機駆動給水ポンプの場合の給水流量特性Iについて説明する。時刻ｔ１において、給水ポンプ４ｃがトリップすると、給水ポンプ４ｃの給水流量は点線部で示すように約３３％から０％に減少する。上側の合計給水流量も同様に１００％から減少する。時刻ｔ２において、予備機の給水ポンプ４ｄが起動し、給水流量が急速に供給されることにより、存続していた給水ポンプ４ａ，４ｂとこの給水ポンプ４ｄの給水流量の合計である合計給水流量の低下は、予備機の流量増加によって止まり、上昇に転じている。時刻ｔ３において、合計給水流量が給水ポンプ４ｃトリップ前の１００％流量であって、安定制御される状態になっている。
【００２９】
次に、予備機給水ポンプが可変速電動機駆動の給水ポンプの場合の給水流量特性IIについて説明する。時刻ｔ２において、予備機の給水ポンプ４ｄが起動するが、可変周波数電源装置９ａ〜ｄの特性上から徐々にしか増速できないため、給水流量の増加特性も緩やかなものとなる。時刻ｔ４において、給水ポンプ４ｄの定格流量である約３３％に到達している。この結果、時刻ｔ２から時刻ｔ４において、存続していた給水ポンプ４ａ，４ｂとこの給水ポンプ４ｄの給水流量の合計である合計給水流量の低下は、予備機の流量増加により止まるが、止まるタイミングは予備機の流量特性が緩やかな分遅くなり、止まった後は緩やかに上昇している。
【００３０】
このように給水流量特性IIとIとにおける給水ポンプ流量増加速度の相違は、給水ポンプトリップによる、原子炉水位低下量に影響を与える。原子炉水位低下量を規定値以内に抑えることができる給水流量特性Iに比べて、給水流量特性IIでは、原子炉水位の低下が大きくなる。
【００３１】
図４は、この原子炉水位低下量を説明する特性図である。給水流量特性IとIIの相違により、図上斜線部分に示す流量分だけ流量特性IIにおける原子炉水位の低下が大きくなることを示す。
【００３２】
このような、原子炉水位の低下量を緩和するために、本実施の形態においては、給水流量制御手段８に規定流量増加回路８Ｃを設けている。給水流量制御手段８は、給水ポンプ４ｃのトリップをポンプ運転状態判定回路８Ａで判断すると、運転継続の給水ポンプ４ａ，４ｂに対して、通常給水流量設定回路８Ｄで算出した指令信号に規定流量増加回路８Ｃで算出した規定流量を加算し、給水流量が増加するように可変周波数電源装置９ａ，９ｂに回転速度指令を出力する。この結果、運転継続の給水ポンプ４ａ，４ｂのポンプ回転数が上昇し、給水流量を急速に増加させる。
【００３３】
ここで、上述した既定流量とは、給水ポンプ１台トリップ後の運転継続ポンプの流量増加信号の流量設定値のことであり、この原子炉水位の低下分を補えるよう、トリップした給水ポンプがトリップ直前に負担していた給水流量相当に設定する。この流量設定値は、通常は計画設計段階での検討により設定し、さらに、好ましくは、プラント起動試験等において、ポンプトリップ試験を実施し、原子炉水位の低下分を確認することにより修正されるものである。
【００３４】
図３に戻って、予備機給水ポンプが可変速電動機駆動の給水ポンプであって、本実施の形態が適用された場合の給水流量特性IIIについて説明する。時刻ｔ１において、給水ポンプ４ｃがトリップすると、給水ポンプ４ｃの給水流量は点線部で示すように約３３％から０％に減少する。一方、給水ポンプ４ｃのトリップをポンプ運転状態判定回路８Ａで検出すると、給水流量制御手段８は、規定流量増加回路御８Ｃを動作させて、存続する給水ポンプである４ａ，４ｂへの流量増加指令を演算し、通常給水流量設定回路８Ｄへ出力する。この結果、給水ポンプ４ａ，４ｂの給水流量は、太い破線部で示すように通常の給水流量である約３３％から上昇する。この後、時刻ｔ２において、予備機の給水ポンプ４ｄが起動し、徐々に増速していくが、給水ポンプ４ａ，４ｂの規定流量の増加により、合計給水流量の低下は、流量増加指令が無い場合より小さく、合計給水流量は、その後緩やかに上昇している。そして時刻ｔ３においては、合計給水流量が給水ポンプ４ｃトリップ前の１００％流量になっている。
【００３５】
給水流量制御手段８においては、時刻ｔ３から時刻ｔ４において、給水ポンプ４ｄの給水流量信号と原子炉水位信号とをシステム状態監視回路８Ｂで検出し、設定水位や設定給水流量との偏差を演算して、規定流量増加回路８Ｃでの出力量を制御する。給水ポンプ４ａ，４ｂの給水流量の規定流量増加分は、図３で示すように、時刻ｔ３から時刻ｔ４において緩やかに減少し、時刻ｔ４においてほぼ無くなる。この結果、給水ポンプ４ａ，４ｂ，４ｃの給水流量約３３％になり、通常の給水流量制御状態となる。
【００３６】
上述した本発明の給水流量制御装置及びこれを用いた発電プラントの第１の実施の形態によれば、可変速電動機駆動の給水ポンプ４ｄを予備機として設置した場合でも、給水供給システムのいずれかのポンプである給水ポンプ４ｃの１台トリップ発生時の給水流量低下、及び原子炉水位低下を緩和することができる。この結果、発電プラントの信頼性が向上する。
【００３７】
また、本発明の給水流量制御装置及びこれを用いた発電プラントの第１の実施の形態は、上述した給水流量制御装置を、例えば、復水器１の下流側に設けたことを特徴とする発電プラントにある。この発電プラントによれば、ポンプトリップ時の給水流量低下を抑え、原子炉や蒸気発生器等の水位低下を緩和することができるので、発電プラントの信頼性が向上する。
【実施例２】
【００３８】
以下、本発明の給水流量制御装置及びこれを用いた発電プラントの第２の実施の形態を図面を用いて説明する。図５は本発明の給水流量制御装置及びこれを用いた発電プラントの第２の実施の形態が適用される給水系統を示すシステム系統図である。図５において、図１乃至図４に示す符号と同符号のものは同一部分であるので、その詳細な説明は省略する。  
第１の実施の形態においては、給水ポンプ４ａ〜ｃの内の１台４ｃがトリップし、予備機である４ｄが起動した場合の適用について説明したが、本実施の形態においては、復水昇圧ポンプ３ａ〜ｃの内の１台がトリップした場合の動作について説明する。したがって、給水系統、給水流量制御手段８等の構成は第１の実施の形態と同じである。
【００３９】
図５の復水昇圧ポンプ３ａ〜ｃ、及び給水ポンプ４ａ〜ｃが運転中に復水昇圧ポンプ３ｃがトリップすると、まず、ポンプインターロック回路が動作して、給水ポンプ４ｃがトリップする。次に、予備機の復水昇圧ポンプ３ｄ、給水ポンプ４ｄが順に起動する。給水流量制御手段８は、復水昇圧ポンプ３ｃのトリップをポンプ運転状態判定回路８Ａで判断すると、運転継続の給水ポンプ４ａ，４ｂに対して、通常給水流量設定回路８Ｄで算出した指令信号に規定流量増加回路８Ｃで算出した規定流量を加算し、給水流量が増加するように可変周波数電源装置９ａ，９ｂに回転速度指令を出力する。この結果、運転継続の給水ポンプ４ａ，４ｂのポンプ回転数が上昇し、給水流量を急速に増加させる。給水流量が回復し、原子炉水位が回復したら、通常の給水流量制御状態となる。この結果、原子炉水位の低下を緩和することができる。
【００４０】
上述した本発明の給水流量制御装置及びこれを用いた発電プラントの第２の実施の形態によれば、可変速電動機駆動の給水ポンプ４ｄを予備機として設置した場合でも、給水供給システムのいずれかのポンプである復水昇圧ポンプ３ｃの１台トリップ発生時の給水流量低下、及び原子炉水位低下を緩和することができる。
【実施例３】
【００４１】
以下、本発明の給水流量制御装置及びこれを用いた発電プラントの第３の実施の形態を図面を用いて説明する。図６は本発明の給水流量制御装置及びこれを用いた発電プラントの第３の実施の形態が適用される給水系統を示すシステム系統図である。図６において、図１乃至図５に示す符号と同符号のものは同一部分であるので、その詳細な説明は省略する。  
第２の実施の形態においては、復水昇圧ポンプ３ａ〜ｃの内の１台３ｃがトリップし、予備機である３ｄが起動した場合の適用について説明したが、本実施の形態においては、復水ポンプ２ａ〜ｃの内の１台がトリップした場合の動作について説明する。したがって、給水系統、給水流量制御手段８等の構成は第１の実施の形態と同じである。
【００４２】
図６の復水ポンプ２ａ〜ｃ、復水昇圧ポンプ３ａ〜ｃ、及び給水ポンプ４ａ〜ｃが運転中に復水ポンプ２ｃがトリップすると、まず、ポンプインターロック回路が動作して、復水昇圧ポンプ３ｃ、及び給水ポンプ４ｃが順にトリップする。次に、予備機の復水ポンプ２ｄ、復水昇圧ポンプ３ｄ、給水ポンプ４ｄが順に起動する。給水流量制御手段８は、復水ポンプ２ｃのトリップをポンプ運転状態判定回路８Ａで判断すると、運転継続の給水ポンプ４ａ，４ｂに対して、通常給水流量設定回路８Ｄで算出した指令信号に規定流量増加回路８Ｃで算出した規定流量を加算し、給水流量が増加するように可変周波数電源装置９ａ，９ｂに回転速度指令を出力する。この結果、運転継続の給水ポンプ４ａ，４ｂのポンプ回転数が上昇し、給水流量を急速に増加させる。この結果、原子炉水位の低下を緩和することができる。
【００４３】
上述した本発明の給水流量制御装置及びこれを用いた発電プラントの第３の実施の形態によれば、可変速電動機駆動の給水ポンプ４ｄを予備機として設置した場合でも、給水供給システムのいずれかのポンプである復水ポンプ２ｃの１台トリップ発生時の給水流量低下、及び原子炉水位低下を緩和することができる。
【実施例４】
【００４４】
以下、本発明の給水流量制御装置及びこれを用いた発電プラントの第４の実施の形態を図面を用いて説明する。図７は本発明の給水流量制御装置及びこれを用いた発電プラントの第４の実施の形態が適用される給水系統を示すシステム系統図、図８は本発明の給水流量制御装置及びこれを用いた発電プラントの第４の実施の形態を構成する復水流量制御手段を説明するブロック図である。図７及び図８において、図１乃至図６に示す符号と同符号のものは同一部分であるので、その詳細な説明は省略する。  
本実施の形態における給水系統構成は図７に示すように、タービンから排出された蒸気を凝縮する復水器１と、復水器１内の復水を原子炉５へ送水するために導出して昇圧する復水ポンプ２ａ〜ｄと、復水ポンプ２ａ〜ｄで昇圧された復水をさらに昇圧する復水昇圧ポンプ３ａ〜ｄと、復水昇圧ポンプ３ａ〜ｄで昇圧された復水を脱器する脱気器１２とを備えている。復水ポンプ２ａ〜ｄ、復水昇圧ポンプ３ａ〜ｄで示すａ〜ｄは各系統名称を表す。各ポンプの系統数は通常Ｎ台運転の場合は、予備機１台を設け、合計でＮ＋１台（系統）のポンプ構成となる。図７では一例として、通常３台運転、予備機１台の合計４台（系統）のそれぞれのポンプ構成を示している。
【００４５】
復水昇圧ポンプ３ａ〜ｄの吐出側には、脱気器１２に一端側が接続された復水配管の他端側が接続され、この復水配管には、復水流量を検出する復水流量検出器１３が設けられている。脱気器１２には、脱気器水位を検出する脱気器水位検出器１４が設けられている。復水流量検出器１３が検出する復水流量信号と、脱気器水位検出器１４が検出する脱気器水位信号とは、復水流量制御手段１５へ入力されている。
【００４６】
本実施の形態における復水流量制御方法は、復水昇圧ポンプ３ａ〜ｄの回転数を制御する方法であって、復水昇圧ポンプ３ａ〜ｄを駆動する電動機に可変周波数電源装置２０ａ〜ｄから所定の周波数電源を供給することにより行う。具体的には、復水流量制御手段１５が、入力された復水流量信号と脱気器水位信号とに基づき、可変周波数電源装置２０ａ〜ｄに回転速度指令を出力することで、駆動用電動機と復水昇圧ポンプ３ａ〜ｄの回転速度を制御して行う。
【００４７】
復水流量制御手段１５は、図８に示すように、復水ポンプ２ａ〜ｄ、復水昇圧ポンプ３ａ〜ｄの運転状態を判別するポンプ運転状態判定回路１５Ａと、復水流量検出器１３からの復水流量信号と脱気器水位検出器１４からの脱気器水位信号を取り込むシステム状態監視回路１５Ｂとを備え、例えば、上位制御器等から入力される水位設定信号とポンプ運転状態判定回路１５Ａからの各ポンプの運転状態とシステム状態監視回路１５Ｂからのシステム状態とに基づいて、復水昇圧ポンプ３ａ〜ｄへの回転速度指令を算出する通常復水流量設定回路１５Ｄと、各ポンプのいずれかがトリップしたときに、存続する復水昇圧ポンプへの流量増加指令を演算し、通常復水流量設定回路１５Ｄへ出力する規定流量増加回路１５Ｃとを設けている。
【００４８】
図７において、復水ポンプ２ａ〜ｄ、及び可変周波数電源装置２０ａ〜ｄ駆動の復水昇圧ポンプ３ａ〜ｄの構成について説明する。これらのポンプは、通常時のプラント給水流量を１００％としたときの復水流量が１台あたり約３３％容量のポンプである。これらの各ポンプをそれぞれ４台並列接続して構成し、通常時のプラント給水流量１００％時にはそれぞれ３台運転し、１台を予備機として運用している。
【００４９】
このような給水系統構成において、復水昇圧ポンプ３ａ〜ｄ運転中に復水昇圧ポンプ３ｃのトリップをポンプ運転状態判定回路１５Ａで判断すると、運転継続の復水昇圧ポンプ３ａ，３ｂに対して、通常復水流量設定回路１５Ｄで算出した指令信号に規定流量増加回路１５Ｃで算出した規定流量を加算し、復水流量が増加するように可変周波数電源装置２０ａ，２０ｂに回転速度指令を出力する。この結果、運転継続の復水昇圧ポンプ３ａ，３ｂのポンプ回転数が上昇し、復水流量を急速に増加させる。
【００５０】
ここで、上述した既定流量とは、復水昇圧ポンプ１台トリップ後の運転継続ポンプの流量増加信号の流量設定値のことであり、この脱気器水位の低下分を補えるよう、トリップした復水昇圧ポンプがトリップ直前に負担していた復水流量相当に設定する。この流量設定値は、通常は計画設計段階での検討により設定し、さらに、好ましくは、プラント起動試験等において、ポンプトリップ試験を実施し、脱気器水位の低下分を確認することにより修正されるものである。
【００５１】
上述した本発明の給水流量制御装置及びこれを用いた発電プラントの第４の実施の形態によれば、可変速電動機駆動の復水昇圧ポンプ３ｄを予備機として設置した場合でも、給水供給システムのいずれかのポンプである復水昇圧ポンプ３ｃの１台トリップ発生時の給水流量低下、及び脱気器水位低下を緩和することができる。
【実施例５】
【００５２】
以下、本発明の給水流量制御装置及びこれを用いた発電プラントの第５の実施の形態を図面を用いて説明する。図９は本発明の給水流量制御装置及びこれを用いた発電プラントの第５の実施の形態が適用される給水系統を示すシステム系統図である。図９において、図７及び図８に示す符号と同符号のものは同一部分であるので、その詳細な説明は省略する。  
第４の実施の形態においては、復水昇圧ポンプ３ａ〜ｃの内の１台３ｃがトリップし、予備機である３ｄが起動した場合の適用について説明したが、本実施の形態においては、復水ポンプ２ａ〜ｃの内の１台がトリップした場合の動作について説明する。したがって、給水系統、復水流量制御手段１５等の構成は第４の実施の形態と同じである。
【００５３】
図９の復水ポンプ２ａ〜ｃ、及び復水昇圧ポンプ３ａ〜ｃが運転中に復水ポンプ２ｃがトリップすると、まず、ポンプインターロック回路が動作して、復水昇圧ポンプ３ｃがトリップする。次に、予備機の復水ポンプ２ｄ、復水昇圧ポンプ３ｄが順に起動する。復水流量制御手段１５は、復水ポンプ２ｃのトリップをポンプ運転状態判定回路１５Ａで判断すると、運転継続の復水昇圧ポンプ３ａ，３ｂに対して、通常復水流量設定回路１５Ｄで算出した指令信号に規定流量増加回路１５Ｃで算出した規定流量を加算し、復水流量が増加するように可変周波数電源装置２０ａ，２０ｂに回転速度指令を出力する。この結果、運転継続の復水昇圧ポンプ３ａ，３ｂのポンプ回転数が上昇し、復水流量を急速に増加させる。復水流量が回復し、脱気器水位が回復したら、通常の復水流量制御状態となる。この結果、脱気器水位の低下を緩和することができる。
【００５４】
上述した本発明の給水流量制御装置及びこれを用いた発電プラントの第５の実施の形態によれば、可変速電動機駆動の復水昇圧ポンプ３ｄを予備機として設置した場合でも、給水供給システムのいずれかのポンプである復水ポンプ２ｃの１台トリップ発生時の復水流量低下、及び脱気器水位低下を緩和することができる。
【実施例６】
【００５５】
以下、本発明の給水流量制御装置及びこれを用いた発電プラントの第６の実施の形態を図面を用いて説明する。図１０は本発明の給水流量制御装置及びこれを用いた発電プラントの第６の実施の形態が適用される給水系統を示すシステム系統図である。図１０において、図１乃至図６に示す符号と同符号のものは同一部分であるので、その詳細な説明は省略する。  
第１乃至第３の実施の形態においては、給水流量制御手段８に規定流量増加回路を設けた場合について説明したが、本実施の形態においては、上位制御器である原子炉水位制御器１１と原子炉水位設定器１０とを設け、これらの制御器と給水流量制御手段１８との協働制御による動作について説明する。したがって、給水系統等の構成は第１の実施の形態と同じである。
【００５６】
図１０において、原子炉水位設定器１０は、通常運転時に適切な原子炉水位を設定するものである。本実施の形態においては、復水ポンプ２ａ〜ｃ、復水昇圧ポンプ３ａ〜ｃ、及び給水ポンプ４ａ〜ｄの運転状態信号が入力されている。このため、いずれかのポンプのトリップを判定することができる。原子炉水位設定器１０は、いずれかのポンプのトリップを判定すると、水位設定信号を高水位へ変更して原子炉水位制御器１１へ出力する。
【００５７】
原子炉水位制御器１１は、原子炉水位検出器７が検出した原子炉水位信号と原子炉水位設定器１０からの水位設定信号を入力し、その偏差を演算し、給水流量制御手段１８へ給水流量の増減信号を出力する。
【００５８】
給水流量制御手段１８は、給水流量検出器６が検出した給水流量信号と原子炉水位制御器１１からの給水流量の増減信号とを入力し、その偏差を無くすため給水流量を制御する。具体的には、例えば給水ポンプ４ｃがトリップした場合、可変周波数電源装置９ａ，９ｂに回転速度指令を出力する。
【００５９】
図１０において、復水ポンプ２ａ〜ｄ、復水昇圧ポンプ３ａ〜ｄ、及び可変周波数電源装置９ａ〜ｄ駆動の給水ポンプ４ａ〜ｄの各ポンプは、通常時のプラント給水流量を１００％としたときの復水流量が１台あたり約３３％容量のポンプである。これらの各ポンプをそれぞれ４台並列接続して構成し、通常時のプラント給水流量１００％時にはそれぞれ３台運転し、１台を予備機として運用している。
【００６０】
このような給水系統構成において、給水ポンプ４ａ〜ｃ運転中に給水ポンプ４ｃ、復水昇圧ポンプ３ｃ、若しくは復水ポンプ２ｃがトリップした場合の挙動について説明する。  
実施例１乃至３の場合と同様に、ポンプインターロック回路が動作して、復水ポンプ２ｃ、復水昇圧ポンプ３ｃ、及び給水ポンプ４ｃが順にトリップする。次に、予備機の復水ポンプ２ｄ、復水昇圧ポンプ３ｄ、給水ポンプ４ｄが順に起動する。予備機である給水ポンプ４ｄが起動した後もトリップ前の給水流量に回復するまで、原子炉水位は低下し続けるが、原子炉水位低下を緩和するために、給水ポンプ４ｃトリップ直後に、ポンプトリップ信号を原子炉水位設定器１０へ発信し、原子炉水位設定値を通常運転における水位設定値より高くする水位設定変更信号を原子炉水位制御器１１へ送る。原子炉水位制御器１１において、前記水位設定値と原子炉水位検出器７より入力される原子炉実水位との偏差より、給水流量制御手段１８へ給水流量増加信号を送る。この結果、運転継続の給水ポンプ４ａ，４ｂのポンプ回転数が上昇し、給水流量を急速に増加させる。給水流量が回復し、原子炉水位が回復したら、通常の給水流量制御状態となる。この結果、原子炉水位の低下を緩和することができる。
【００６１】
ただし、ポンプトリップ後の給水流量が第１の実施の形態に記載した既定流量の設定方法により設定する流量程度となるよう、流量増加信号による給水ポンプ流量変化を考慮し、水位設定値変更幅を予め設定しておく必要がある。
【００６２】
上述した本発明の給水流量制御装置及びこれを用いた発電プラントの第６の実施の形態によれば、上述した第１乃至第３の実施の形態と同様な効果を得ることができる。
【実施例７】
【００６３】
以下、本発明の給水流量制御装置及びこれを用いた発電プラントの第７の実施の形態を図面を用いて説明する。図１１は本発明の給水流量制御装置及びこれを用いた発電プラントの第７の実施の形態が適用される給水系統を示すシステム系統図である。図１１において、図７乃至図９に示す符号と同符号のものは同一部分であるので、その詳細な説明は省略する。  
第４及び第５の実施の形態においては、復水流量制御手段１５に規定流量増加回路を設けた場合について説明したが、本実施の形態においては、上位制御器である脱気器水位制御器１７と脱気器水位設定器１６とを設け、これらの制御器と復水流量制御手段２５との協働制御による動作について説明する。したがって、復水系統等の構成は第４の実施の形態と同じである。
【００６４】
図１１において、脱気器水位設定器１６は、通常運転時に適切な脱気器水位を設定するものである。本実施の形態においては、復水ポンプ２ａ〜ｃ、及び復水昇圧ポンプ３ａ〜ｃの運転状態信号が入力されている。このため、いずれかのポンプのトリップを判定することができる。脱気器水位設定器１６は、いずれかのポンプのトリップを判定すると、水位設定信号を高水位へ変更して脱気器水位制御器１７へ出力する。
【００６５】
脱気器水位制御器１７は、脱気器水位検出器１４が検出した脱気器水位信号と脱気器水位設定器１６からの水位設定信号を入力し、その偏差を演算し、復水流量制御手段２５へ復水流量の増減信号を出力する。
【００６６】
復水流量制御手段２５は、復水流量検出器１３が検出した復水流量信号と脱気器水位制御器１７からの復水流量の増減信号とを入力し、その偏差を無くすため復水流量を制御する。具体的には、例えば復水昇圧ポンプ３ｃがトリップした場合、可変周波数電源装置２０ａ，２０ｂに回転速度指令を出力する。
【００６７】
図１１において、復水ポンプ２ａ〜ｄ、及び可変周波数電源装置２０ａ〜ｄ駆動の復水昇圧ポンプ３ａ〜ｄの各ポンプは、通常時のプラント給水流量を１００％としたときの復水流量が１台あたり約３３％容量のポンプである。これらの各ポンプをそれぞれ４台並列接続して構成し、通常時のプラント給水流量１００％時にはそれぞれ３台運転し、１台を予備機として運用している。
【００６８】
このような給水系統構成において、復水昇圧ポンプ４ａ〜ｃ運転中に、復水昇圧ポンプ３ｃ、若しくは復水ポンプ２ｃがトリップした場合の挙動について説明する。  
実施例４又は５の場合と同様に、ポンプインターロック回路が動作して、復水ポンプ２ｃ、復水昇圧ポンプ３ｃが順にトリップする。次に、予備機の復水ポンプ２ｄ、復水昇圧ポンプ３ｄが順に起動する。予備機である復水昇圧ポンプ３ｄが起動した後もトリップ前の復水流量に回復するまで、脱気器水位は低下し続けるが、脱気器水位低下を緩和するために、復水昇圧ポンプ３ｃトリップ直後に、ポンプトリップ信号を脱気器水位設定器１６へ発信し、脱気器水位設定値を通常運転における水位設定値より高くする水位設定変更信号を脱気器水位制御器１７へ送る。脱気器水位制御器１７において、前記水位設定値と脱気器水位検出器１４より入力される脱気器実水位との偏差より、復水流量制御手段２５へ復水流量増加信号を送る。この結果、運転継続の復水昇圧ポンプ３ａ，３ｂのポンプ回転数が上昇し、復水流量を急速に増加させる。復水流量が回復し、脱気器水位が回復したら、通常の復水流量制御状態となる。この結果、脱気器水位の低下を緩和することができる。
【００６９】
ただし、ポンプトリップ後の復水流量が第４の実施の形態に記載した既定流量の設定方法により設定する流量程度となるよう、流量増加信号による復水昇圧ポンプ流量変化を考慮し、水位設定値変更幅を予め設定しておく必要がある。
【００７０】
上述した本発明の給水流量制御装置及びこれを用いた発電プラントの第７の実施の形態によれば、上述した第４及び第５の実施の形態と同様な効果を得ることができる。
【００７１】
また、本発明は、上述した給水流量制御装置を、例えば、復水器１の下流側に設けたことを特徴とする発電プラントにある。この発電プラントによれば、ポンプトリップ時の給水流量低下を抑え、原子炉や蒸気発生器等の水位低下を緩和することができ、原子炉や蒸気発生器等に係る発電プラントの信頼性が向上する。
【００７２】
なお、本発明の実施の形態においては、給水ポンプ等の回転数制御方式として、可変速電動機駆動方式により説明したが、これに限るものではない。例えば、液体継手方式等であってもよい。
【符号の説明】
【００７３】
１          復水器
２ａ〜ｄ    復水ポンプ
３ａ〜ｄ    復水昇圧ポンプ
４ａ〜ｄ    給水ポンプ
５          原子炉
６          給水流量検出器
７          原子炉水位検出器
８          給水流量制御手段
９          可変周波数電源装置
１０        原子炉水位設定器
１１        原子炉水位制御器
１２        脱気器
１３        復水流量検出器
１４        脱気器水位検出器
１５        復水流量制御手段
１６        脱気器水位設定器
１７        脱気器水位制御器
１８        給水流量制御手段
２０ａ〜ｄ  可変周波数電源装置
２５        復水流量制御手段
【図１】
2012163279.tif 000003
【図２】
2012163279.tif 000004
【図３】
2012163279.tif 000005
【図４】
2012163279.tif 000006
【図５】
2012163279.tif 000007
【図６】
2012163279.tif 000008
【図７】
2012163279.tif 000009
【図８】
2012163279.tif 000010
【図９】
2012163279.tif 000011
【図１０】
2012163279.tif 000012
【図１１】
2012163279.tif 000013